(57)【要約】【課題】操作パネル上のハードキーについてもユーザにとって操作性の向上を図れる画像処理装置を提供すること。【解決手段】画像処理装置は、自装置の操作パネル２０１に配置されているハードキーと、別の画像処理装置に配置されるハードキーとを比較し、自装置には配置されていないが別の画像処理装置には配置されているハードキーが存在する場合には、自装置の液晶表示部２０１７に、当該ハードキーに対応するソフトキー、例えばプログラムキー２１１２を表示させる。【選択図】図６
2007150749.tif 000002
【特許請求の範囲】
【請求項１】
自装置操作部に表示される画面上の入力キーが操作されることにより、当該キーに対応する画像処理機能を実行する画像処理装置であって、
他の画像処理装置の操作部に配置されるハードキーに関する情報を取得する取得手段と、
取得した情報から、他の画像処理装置のハードキーと同機能のハードキーが自装置操作部に存在するか否かを判断する判断手段と、
前記判断手段により同機能のハードキーが存在しないことが判断された場合に、前記画面に、他の画像処理装置のハードキーに対応する画像処理機能を実行するための入力キーを表示させる表示制御手段と、
を備えることを特徴とする画像処理装置。
【請求項２】
前記表示制御手段は、
自装置が前記画像処理機能を実行できるか否かを判断し、実行できないことを判断した場合には、前記入力キーに代えて、当該実行できない旨を前記画面に表示させることを特徴とする請求項１に記載の画像処理装置。
【請求項３】
自装置操作部には、ハードキーが配置され、
当該ハードキーが操作されることにより、当該キーに対応する画像処理機能を実行し、
前記情報には、他の画像処理装置におけるハードキーの配置位置を示す情報が含まれており、
前記表示制御手段は、
前記判断手段により同機能のハードキーが存在することが判断された場合に、自装置操作部上におけるハードキーの配置位置と、他の画像処理装置の操作部上におけるハードキーの配置位置とが略同じか否かを判断し、略同じではないことを判断した場合には、その旨を前記画面に表示させることを特徴とする請求項１または２に記載の画像処理装置。
【請求項４】
自装置操作部には、ハードキーが配置されており、
当該ハードキーが操作されることにより、当該キーに対応する画像処理機能を実行し、
前記判断手段は、
自装置操作部のハードキーと他の画像処理装置のハードキーについて、その機能を比較し、その比較結果から前記判断を行い、
前記表示制御手段は、
前記比較結果を前記画面に表示させることを特徴とする請求項１に記載の画像処理装置。
【請求項５】
前記他の画像処理装置とネットワークを介して接続されており、
前記取得手段は、
前記ネットワークを介して前記情報を取得することを特徴とする請求項１乃至４のいずれか1項に記載の画像処理装置。
【請求項６】
ユーザから前記他の画像処理装置の指定を受け付ける受付手段を備え、
前記取得手段は、
前記指定された装置を前記他の画像処理装置として、当該他の画像処理装置から前記情報を取得することを特徴とする請求項５に記載の画像処理装置。
【請求項７】
ユーザから識別情報の入力を受け付ける受付手段を備え、
前記取得手段は、
前記ネットワークに接続される複数の装置のうち、入力された識別情報により識別されるユーザに対し使用を許可している装置を前記他の画像処理装置として、当該他の画像処理装置から前記情報を取得することを特徴とする請求項５に記載の画像処理装置。
【請求項８】
自装置操作部に表示される画面上の入力キーが操作されることにより、当該キーに対応する画像処理機能を実行する画像処理装置であって、
他の画像処理装置の操作部に配置されるハードキーに対応する画像処理機能を示す情報を取得する取得手段と、
取得した情報に基づいて、前記画面に、他の画像処理装置のハードキーに対応する画像処理機能を実行するための入力キーを表示させる表示制御手段と、
を備えることを特徴とする画像処理装置。
【発明の詳細な説明】
【技術分野】
【０００１】
本発明は、デジタル複写機やファクシミリ装置などの画像処理装置に関し、特に当該画像処理装置の操作部のキーをカスタマイズする技術の改良に関する。
【背景技術】
【０００２】
このようなカスタマイズ技術として、特許文献１には、次のような構成が開示されている。すなわち、例えばユーザａが複写機Ａにおいて操作部の液晶表示部の画面上に表示される入力キーのレイアウトを自己の好みに応じて設定すると、その設定内容がパネル設定情報として複写機Ａに記憶される。ユーザａが、別の複写機Ｂにおいてコピー等の操作を行おうとする場合、複写機Ｂは、複写機Ａからユーザａに係るパネル設定情報を取得し、取得したパネル設定情報に基づき、複写機Ｂの操作部の液晶表示部に、複写機Ａと同じレイアウトの画面を表示させるものである。
【０００３】
これによりユーザａは、例えばオフィスなどで頻繁に使用する複写機Ａにおいて自己に最も使い勝手が良いレイアウトに表示画面をカスタマイズしておけば、別の複写機Ｂを使用する場合にも、そのカスタマイズした画面を見ながら容易に操作することができる。
【特許文献１】特開２００３−３３３２３４号公報
【発明の開示】
【発明が解決しようとする課題】
【０００４】
ところで、複写機等の操作部上には、液晶表示部とは別に固定的に配置された、いわゆるハードキーが備えられていることがほとんどであるが、上記特許文献１では、ハードキーについて考慮されていない。そのため、例えばあるハードキーが複写機Ａの操作部上に配置されているが複写機Ｂの操作部上には配置されていないような場合、ユーザａは、複写機Ｂを使用する際、当該ハードキーが配置されていないことから、当該ハードキーの機能をどのようにすれば実行できるのかが判らず、操作性が悪いという問題が生じる。
【０００５】
本発明は、上記の問題点に鑑みてなされたものであって、ハードキーについてもユーザにとって操作性の向上を図れる画像処理装置を提供することを目的としている。
【課題を解決するための手段】
【０００６】
上記目的を達成するため、本発明に係る画像処理装置は、自装置操作部に表示される画面上の入力キーが操作されることにより、当該キーに対応する画像処理機能を実行する画像処理装置であって、他の画像処理装置の操作部に配置されるハードキーに関する情報を取得する取得手段と、取得した情報から、他の画像処理装置のハードキーと同機能のハードキーが自装置操作部に存在するか否かを判断する判断手段と、前記判断手段により同機能のハードキーが存在しないことが判断された場合に、前記画面に、他の画像処理装置のハードキーに対応する画像処理機能を実行するための入力キーを表示させる表示制御手段と、を備えることを特徴とする。
【発明の効果】
【０００７】
このようにすれば、例えばユーザが当該画像処理装置を初めて使用する場合でも、前記画面に表示される入力キーを操作するという簡易な操作で、他の画像処理装置の操作部上におけるハードキーに対応する画像処理機能と同じ機能を実行できるようになり、ユーザにとって便利であり、もって操作性の向上を図れる。
また、前記表示制御手段は、自装置が前記画像処理機能を実行できるか否かを判断し、実行できないことを判断した場合には、前記入力キーに代えて、当該実行できない旨を前記画面に表示させることを特徴とする。
【０００８】
このようにすれば、ユーザは、当該画像処理装置では、当該他の画像処理装置のハードキーに対応する画像処理機能を実行できないことを容易に理解できるようになる。
さらに、自装置操作部には、ハードキーが配置され、当該ハードキーが操作されることにより、当該キーに対応する画像処理機能を実行し、前記情報には、他の画像処理装置におけるハードキーの配置位置を示す情報が含まれており、前記表示制御手段は、前記判断手段により同機能のハードキーが存在することが判断された場合に、自装置操作部上におけるハードキーの配置位置と、他の画像処理装置の操作部上におけるハードキーの配置位置とが略同じか否かを判断し、略同じではないことを判断した場合には、その旨を前記画面に表示させることを特徴とする。
【０００９】
このようにすれば、ユーザは、当該画像処理装置と当該他の画像処理装置とでは同機能のハードキーの配置位置が異なっていることを容易に理解できるようになり、操作を行い易くなる。
また、自装置操作部には、ハードキーが配置されており、当該ハードキーが操作されることにより、当該キーに対応する画像処理機能を実行し、前記判断手段は、自装置操作部のハードキーと他の画像処理装置のハードキーについて、その機能を比較し、その比較結果から前記判断を行い、前記表示制御手段は、前記比較結果を前記画面に表示させることを特徴とする。
【００１０】
このようにすれば、ユーザは、当該画像処理装置と当該他の画像処理装置のハードキーに対応する画像処理機能の相違を容易に理解できるようになり、使い勝手が良くなる。
さらに、前記他の画像処理装置とネットワークを介して接続されており、前記取得手段は、前記ネットワークを介して前記情報を取得することを特徴とする。
このようにすれば、当該ハードキー情報の、ユーザによる入力の手間を省くことができ、使い勝手が良くなる。
【００１１】
また、ユーザから前記他の画像処理装置の指定を受け付ける受付手段を備え、前記取得手段は、前記指定された装置を前記他の画像処理装置として、当該他の画像処理装置から前記情報を取得することを特徴とする。
このようにすれば、ユーザ自身が希望する装置を指定することができ、便利である。
さらに、ユーザから識別情報の入力を受け付ける受付手段を備え、前記取得手段は、前記ネットワークに接続される複数の装置のうち、入力された識別情報により識別されるユーザに対し使用を許可している装置を前記他の画像処理装置として、当該他の画像処理装置から前記情報を取得することを特徴とする。
【００１２】
このようにすれば、ユーザは、当該画像処理装置において、いつも使用している他の画像処理装置のハードキーに対応する画像処理機能を利用することができ、便利である。
また、本発明は、自装置操作部に表示される画面上の入力キーが操作されることにより、当該キーに対応する画像処理機能を実行する画像処理装置であって、他の画像処理装置の操作部に配置されるハードキーに対応する画像処理機能を示す情報を取得する取得手段と、取得した情報に基づいて、前記画面に、他の画像処理装置のハードキーに対応する画像処理機能を実行するための入力キーを表示させる表示制御手段と、を備えることを特徴とする。
【００１３】
このようにすれば、他の画像処理装置と同機能のハードキーが当該画像処理装置に存在しなくても、画面上の入力キーの操作により当該機能を実行できるようになり、もって操作性の向上を図れる。
【発明を実施するための最良の形態】
【００１４】
以下、本発明に係る画像処理装置の実施の形態を、図面を参照しながら説明する。
図１は、画像処理システム１の全体構成を示す図である。
同図に示すように、画像処理システム１は、画像処理装置としての多機能デジタル複写機（以下、「ＭＦＰ（Multiple Function Peripheral）」という。）１０、２０と、クライアント端末５０、６０が、ネットワーク、ここではLAN（Local Area Network）２を介して接続されてなる。
【００１５】
ＭＦＰ１０は、セットされた原稿の画像を読み取って画像データを得るスキャン機能、その画像データに基づいて原稿画像を印刷（プリント）するコピー機能、クライアント端末５０等からの印刷ジョブの実行指示を受け付けて印刷を行うプリント機能を実行することができる。また、読み取って得られた画像データを指定の宛先に電子メールで送信するスキャン・ツー・メール（Ｓｃａｎ  Ｔｏ  Ｍａｉｌ）機能、Ａ３サイズの用紙に印刷するＡ３印刷機能、Ａ４サイズの用紙に印刷するＡ４印刷機能、用紙の両面に印刷する両面印刷機能、２枚の原稿の画像を1枚の用紙上にまとめて印刷する１枚集約（２ｉｎ１）印刷機能、スキャン機能により得られた画像データなどの各種データをユーザの指示により記憶部１１５（図２）に保存するＨＤＤ保存機能、印刷枚数、倍率、用紙サイズ、両面印刷などの任意のジョブ実行条件をまとめて１つの機能として登録するプログラム機能、現在設定されているコピー等の実行条件を確認するための確認画面を表示させる設定確認機能等の画像処理機能を実行することができる。
【００１６】
さらに、操作パネル１０１（図３）の液晶表示部１０１７に表示されるキー入力の受付画面のレイアウトを、ユーザ毎に当該ユーザが希望するものにカスタマイズするカスタマイズ機能を実行することもできる。このカスタマイズ機能については、上記特許文献１に記載されているので、ここでの説明を省略するが、概略すると、ＭＦＰ１０は、ユーザ毎に、当該ユーザが希望する画面のレイアウトの設定を受け付け、設定された内容をパネル設定情報として、当該ユーザの識別コード（ユーザＩＤ）と対応付けて記憶しておき、当該ユーザによりユーザＩＤが入力されると、そのユーザＩＤに対応するパネル設定情報を読み出して、読み出した情報に応じたレイアウトのキー入力画面を液晶表示部１０１７に表示させるという機能である。
【００１７】
クライアント端末５０等は、汎用のパーソナルコンピュータ（ＰＣ）であり、ネットワーク通信プログラムがインストールされており、既存の通信プロトコル（TCP/IP(Transmission Control Protocol/Internet Protocol等）により他の端末やＭＦＰ１０等と接続され、データの送受信を行うようになっている。
図２は、ＭＦＰ１０の構成を示す図である。
【００１８】
同図に示すように、ＭＦＰ１０は、主な構成要素として、操作パネル１０１（操作部）、スキャナ部１０２、プリンタ部１０３および制御部１０４を備えている。
操作パネル１０１は、図３に示すように、テンキー１０１１、スタートキー１０１２、クリアキー１０１３、リセットキー１０１４、プログラムキー１０１５、設定確認キー１０１６および液晶表示部１０１７を有している。
【００１９】
テンキー１０１１は、コピー枚数や複写倍率等を直接設定するためのキーであり、スタートキー１０１２は、コピー等のジョブの開始を指示するためのキーである。クリアキー１０１３は、設定されたコピー枚数を「１」に戻すためのキーであり、リセットキー１０１４は、設定されているコピー等のジョブ実行条件を初期状態に戻すためのキーである。
プログラムキー１０１５は、プログラム機能を実行するためのキーであり、設定確認キー１０１６は、設定確認機能を実行するためのキーである。
【００２０】
液晶表示部１０１７は、その表面にタッチパネルが積層されてなり、制御部１０４の指示により必要な画面を表示すると共に、ユーザによるタッチ入力を受け付けて、受け付けた情報を制御部１０４に伝える。
同図の画面１１１０は、あるユーザ（以下、「ユーザＡ」という。）によりカスタマイズされた画面の例を示したものである。このカスタマイズ画面１１１０は、１枚集約印刷機能を実行するための「２ｉｎ１」キー、両面印刷機能を実行するための「両面」キー、スキャン機能を実行するための「スキャン」キー、ＨＤＤ機能を実行するための「ＨＤＤ」キー、Ａ３印刷機能を実行するための「Ａ３」キー、Ａ４印刷機能を実行するための「Ａ４」キー、スキャン・ツー・メール機能を実行するための「Scan To Mail」キーが横２列に並んで表示されるレイアウトになっている。以下、画面上に表示される入力キーを「ソフトキー」、プログラムキー１０１５など固定的に配置されるキーを「ハードキー」という場合がある。
【００２１】
ユーザＡは、ハードキーを押下し、およびソフトキーをタッチすることで、そのキーに対応する機能を実行させることができる。ここでは、キー操作がされると、当該キーに対応する機能としてどのような条件のものが実行可能であるのかを示す別のメニュー画面（不図示）が液晶表示部１０１７に表示されるようになっており、ユーザＡは、そのメニュー画面から希望の条件を選択、指定等を行うことができる。具体的には、両面印刷キーをタッチした場合、両面印刷のメニュー画面に切り換わり、そのメニュー画面には実行可能な条件として例えば「片面原稿を両面印刷」と「両面原稿を両面印刷」の２つがある旨が表示される。ユーザＡは、いずれかの表示部分をタッチすることで、その条件を選択することができるというものである。
【００２２】
なお、メニュー画面には、ＭＦＰ１０が実行可能な全ての機能を一覧表示させるための一覧表示キー（不図示）も表示されるようになっている。ユーザＡは、その一覧表示キーをタッチして、一覧表示される機能の中から希望する機能を選択することで、カスタマイズ画面１１１０に表示されていない別のキーの機能を実行することができる。このことは、ＭＦＰ２０についても同様である。
【００２３】
図２に戻って、スキャナ部１０２は、セットされた原稿の画像を読み取って画像データを得る装置である。プリンタ部１０３は、公知の電子写真方式により、スキャナ部１０２で読み取られた原稿の画像データ、クライアント端末５０等から送られて来る印刷に供されるデータに基づいて画像を用紙に印刷する。
制御部１０４は、主な構成要素として、ＣＰＵ１１１、インターフェース（Ｉ／Ｆ）部１１２、制御に必要なプログラムが格納されたＲＯＭ１１３、プログラム実行時のワークエリアとなるＲＡＭ１１４および記憶部１１５を備えている。
【００２４】
インターフェース部１１２は、ＬＡＮカード、ＬＡＮボードといったＬＡＮ２に接続するためのインターフェースである。
記憶部１１５は、ハードディスクドライブ等の不揮発性の記憶手段であり、画像データを保存する格納領域（不図示）が設けられると共に、ユーザ情報が書き込まれているユーザ情報テーブル１１９、機能情報が書き込まれる機能情報テーブル１２０、ハードキー情報が書き込まれるハードキー情報テーブル１２１およびソフトキー情報が書き込まれるソフトキー情報テーブル１２２が設けられている。
【００２５】
ユーザ情報テーブル１１９は、ここでは図示していないが、ユーザごとに、当該ユーザを識別するための識別番号（ユーザＩＤ）と、当該ユーザを認証するためのパスワードとが対応付けされた情報がユーザ情報として書き込まれている。このユーザ情報は、後述のログイン処理の際に読み出されて利用されるものであり、各ユーザまたはネットワークの管理者等により操作パネル１０１を介して予め登録されるようになっている。ここでは、ユーザＡに対しそのユーザＩＤ「１１１１」とパスワード「１２３４」が登録済みになっているものとする。
【００２６】
図４（ａ）は、機能情報テーブル１２０の内容例を示す図であり、図４（ｂ）は、ハードキー情報テーブル１２１の内容例を示す図であり、図４（ｃ）は、ソフトキー情報テーブル１２２の内容例を示す図である。
図４（ａ）に示すように、機能情報テーブル１２０には、番号（Ｎｏ）欄と機能名欄とが設けられ、自装置（ＭＦＰ１０）が実行可能な画像処理機能の名称、具体的にはプリント機能、スキャン機能・・・を示す情報が機能情報として書き込まれている。
【００２７】
ここで、Ｎｏ．４のモノクロ印刷機能とは、黒色で印刷を行う機能である。また、Ｎｏ．１２のソート機能とは、原稿と同じページ揃えの印刷物を設定部数ごとに分けて印刷出力する機能であり、Ｎｏ．１３のジョブ履歴参照機能とは、過去のジョブの実行履歴、具体的にはジョブごとに、そのジョブの実行日時、出力枚数、部数等を示す画面を液晶表示部１０１７に表示させる機能である。Ｎｏ．１４のカウンタ表示機能とは、これまでに印刷を行った用紙の総枚数（トータルカウント）等を示す画面を液晶表示部１０１７に表示させる機能であり、Ｎｏ．１７のヘルプ機能とは、ユーザに対し操作案内（ガイド）を液晶表示部１０１７に表示させる機能である。この操作案内の具体例については後述する。なお、テンキー１０１１、スタートキー１０１２、クリアキー１０１３およびリセットキー１０１４については、ここでは省略している。
【００２８】
ハードキー情報テーブル１２１には、図４（ｂ）に示すように、操作パネル１０１上に配置されるハードキーとしてプログラムキー１０１５と設定確認キー１０１６について、その機能名（ハードキーに対応する画像処理機能を示す情報）と、操作パネル１０１上における配置位置と、当該キーに対応する画像処理機能を示す関連番号（機能情報テーブル１２０の番号欄の番号に相当）とが対応付けされた情報がハードキー情報として書き込まれている。なお、上記画像処理機能を示す情報としては、機能名そのものに限られることはない。ハードキーがどの画像処理機能に対応しているものであるのかが判れば良く、例えば機能ごとに機能を識別するためのものとして予め決めておいた数値、記号等を用いるとしても良い。
【００２９】
キーの配置位置については、ユーザが操作パネル１０１を正面から見たときに操作パネル１０１の中心を基点にして当該キーがどの方向に位置しているのかを概略した位置が「右上部」等として示されている。もちろん、キーの位置を示す情報であれば良く、座標位置等とすることもできる。機能情報とハードキー情報は、装置固有のものとして製造時等に予め書き込まれる。なお、テンキー１０１１〜リセットキー１０１４については、機能情報と同様に省略している。
【００３０】
ソフトキー情報テーブル１２２には、図４（ｃ）に示すように、ユーザＩＤごとに、当該ユーザＩＤを有するユーザによりカスタマイズされた画面のレイアウトを示す情報がソフトキー情報として書き込まれている。同図の具体例は、ユーザＡによるカスタマイズ画面１１１０に対応するものである。
ソフトキー情報は、ソフトキーの機能名と、ソフトキーの液晶表示部１０１７上における配置位置と、ソフトキーに対応する画像処理機能を示す関連番号（機能情報テーブル１２０の番号欄の番号に相当）とが対応付けされている。なお、キーの配置位置については、液晶表示部１０１７を正面から見たときにその左上の角の点１０１８（図３）を原点（０．０）とおくと共に、原点から右方向に伸びる軸をＸ軸、下方向に伸びる軸をＹ軸として、Ｘ−Ｙ座標軸を構成し、その座標軸上における位置に対応する情報が各キーについて示されている。ソフトキー情報は、ユーザ毎にカスタマイズが実行されると上書き保存されるようになっている。このように機能名と関連番号は、ハードキーについて機能情報とハードキー情報の間で関連付けされ、ソフトキーについて機能情報とソフトキー情報の間で関連付けされていることになる。
【００３１】
図２に戻って、ＣＰＵ１１１は、ＲＯＭ１１３の制御プログラムに基づいて、スキャナ部１０２、プリンタ部１０３の各部の動作を制御し、円滑なコピー、スキャン等のジョブの動作を実現する。また、操作パネル１０１を介してユーザによるキー（ハードキー、ソフトキー）の操作（押下、タッチ入力）を受け付けて、そのキーに対応する画像処理機能を実行する。また、必要な画面等を液晶表示部１０１７に表示させる。表示画面上のソフトキーがユーザによりタッチされると、タッチされたソフトキーの座標位置を検出し、検出された座標位置が、そのユーザＩＤに対応するソフトキー情報に含まれるソフトキーのうちのどのキーの座標位置に相当するものであるのかを検出することで、タッチされたソフトキーがどの機能に対応するものであるのかを特定する。さらに、カスタマイズ処理や後述のログイン処理、認証受付処理等を行う。
【００３２】
図５は、ＭＦＰ２０の構成を示す図である。
同図に示すように、ＭＦＰ２０は、主な構成要素として、操作パネル２０１、スキャナ部２０２、プリンタ部２０３および制御部２０４を備えている。
ＭＦＰ２０は、ＭＦＰ１０と略同じ構成であるが、ＭＦＰ１０が実行できる２つの機能（両面印刷とスキャン・ツー・メール）を実行できず、逆にＭＦＰ１０が実行できない２つの機能、すなわちカラーで印刷を行うカラー印刷機能と、ユーザに対しコピー等のジョブに必要な操作方法を示す画面を表示させるユーザ補助機能とを実行できる点で異なっている。なお、これら以外の機能については共通して実行できる構成になっている。
【００３３】
操作パネル２０１は、図６に示すように、テンキー２０１１、スタートキー２０１２、クリアキー２０１３、リセットキー２０１４、ユーザ補助キー２０１５、設定確認キー２０１６および液晶表示部２０１７を有している。
テンキー２０１１〜リセットキー２０１４、設定確認キー２０１６については、ＭＦＰ１０のテンキー１０１１〜リセットキー１０１４、設定確認キー１０１６と同じ機能を有するものである。ユーザ補助キー２０１５は、ユーザ補助機能を実行するためのキーである。
【００３４】
同図に示す画面２１１０は、ＭＦＰ２０においてユーザによりカスタマイズされる前の画面（標準状態の画面）の例を示したものである。当該画面２１１０には、ソフトキーとして、スキャン機能を実行するための「スキャン」キー、ジョブ履歴参照機能を実行するための「ジョブ履歴参照」キー、カラー印刷機能を実行するための「カラー」キー、カウンタ表示機能を実行するための「カウンタ表示」キーおよびソート機能を実行するための「ソート」キーが横３列に並んで配置されたレイアウトになっている。
【００３５】
図５に戻って、スキャナ部２０２は、ＭＦＰ１０のスキャナ部１０１と同様の機能を有するものである。プリンタ部２０３は、プリンタ部１０３に対し、両面印刷が実行できずカラー印刷を実行できる構成になっている点を除いて同様の構成になっている。
制御部２０４は、主な構成要素として、ＣＰＵ２１１、インターフェース部２１２、制御に必要なプログラムが格納されたＲＯＭ２１３、プログラム実行時のワークエリアとなるＲＡＭ２１４および記憶部２１５を備えている。
【００３６】
インターフェース部２１２、ＲＡＭ２１４は、ＭＦＰ１０のインターフェース部１１２、ＲＡＭ１１４と同じ機能を有するものである。
記憶部２１５は、ＭＦＰ１０の記憶部１１５と同様に、不揮発性の記憶手段であり、画像データを保存する格納領域（不図示）が設けられると共に、ユーザ情報テーブル２１９、機能情報テーブル２２０、ハードキー情報テーブル２２１およびソフトキー情報テーブル２２２が設けられている。
【００３７】
ユーザ情報テーブル２１９は、ＭＦＰ１０のユーザ情報テーブル１１９と基本的に同じ構成であるが、ユーザＡについてはそのユーザＩＤ等が未登録になっているものとする。
図７（ａ）は、機能情報テーブル２２０の内容例を示す図であり、図７（ｂ）は、ハードキー情報テーブル２２１の内容例を示す図であり、図７（ｃ）は、ソフトキー情報テーブル２２２の内容例を示す図である。
【００３８】
各図に示すように、機能情報テーブル２２０等は、ＭＦＰ１０の機能情報テーブル１２０等と基本的に同じ構成になっているが、その内容は、ＭＦＰ１０との機能やハードキーが異なる部分について相違している。
具体的には、機能情報については、図７（ａ）に示すように両面印刷機能とメール機能が含まれておらず、カラー印刷機能とユーザ補助機能が実行可能な機能として含まれており、ハードキー情報については、図７（ｂ）に示すようにプログラムキーが含まれておらずユーザ補助キーが含まれているものである。
【００３９】
ソフトキー情報については、図７（ｃ）に示すようにユーザＩＤ「００００」に対応する具体例として、標準状態の画面２１１０のレイアウトを示す情報が示されている。ここでユーザＩＤが「００００」とは、オフィス内の複数ユーザが共有するＩＤを示し、このＩＤが入力された場合に、画面２１１０が表示されるように制御される。
図５に戻って、ＣＰＵ２１１は、ＭＦＰ１０のＣＰＵ１１１と同様の機能、すなわちＲＯＭ２１３の制御プログラムに基づいて、スキャナ部２０２、プリンタ部２０３の各部の動作を制御し、円滑なコピー等のジョブの動作を実現する。また、操作パネル２０１を介してユーザによるキー入力等を受け付けると共に、必要な画面等を液晶表示部２０１７に表示させる。さらに、カスタマイズ処理やログイン処理等を行う。
【００４０】
このようなシステム構成において、ユーザＡが、いつも使用するＭＦＰ１０ではなくＭＦＰ２０を初めて使用する場合を例に、その際に実行される処理内容の例を、図８〜図１３を参照しながら説明する。
（１）ＭＦＰ２０の処理
図８は、ＭＦＰ２０が実行するログイン処理の内容を示すフローチャートである。
【００４１】
同図に示すように、ＭＦＰ２０は、ログイン画面（不図示）を液晶表示部２０１７に表示させる（ステップＳ２０１）。このログイン画面は、各ユーザからユーザＩＤとパスワードの入力を受け付ける画面である。ユーザＡは、テンキー２０１１を操作してユーザＩＤとパスワードを入力することができる。
ユーザＡからのユーザＩＤ等の入力を受け付けると（ステップＳ２０２）、自装置が管理しているユーザか否かを判断する（ステップＳ２０３）。この判断は、入力されたユーザＩＤがユーザ情報テーブル２１９に登録されているか否かにより行われる。
【００４２】
ここで、管理していないユーザ、すなわち入力されたユーザＩＤが未登録であることを判断すると（ステップＳ２０３で「ＮＯ」）、ＭＦＰ１０に対し、そのユーザの認証を要求する（ステップＳ２０４）。具体的には、入力されたユーザＩＤとパスワードを示す情報をＬＡＮ２を介して送信し、そのユーザが使用を許可しても良いユーザであるかを問い合わせるものである。要求先としては、例えばＬＡＮ２にＭＦＰが３台以上接続されている場合には自身を除く全てのＭＦＰとしても良い。
【００４３】
ＭＦＰ１０は、後述のように、ＭＦＰ２０からの認証要求に対し、認証ができた場合には、自装置に保存されている機能情報、ハードキー情報、および認証の対象となっているユーザＡのユーザ情報（ＩＤとパスワード）、ユーザＡに対応するソフトキー情報をＭＦＰ２０に送信し、認証不可の場合には、そのまま処理を終了する構成になっている。
ＭＦＰ２０は、ステップＳ２０５において、認証要求先のＭＦＰ１０から機能情報等を受信したか否かを判断する。ここで、受信していないことを判断すると（ステップＳ２０５で「ＮＯ」）、所定時間経過したか否かを判断する（ステップＳ２０６）。ステップＳ２０４による要求時から計時を開始し、その時間が所定時間に達したか否かを判断するものである。
【００４４】
所定時間が経過していないことを判断すると（ステップＳ２０６で「ＮＯ」）、ステップＳ２０５に戻る。所定時間が経過するまで、ＭＦＰ１０から機能情報等が送られて来るのを待つ。所定時間が経過したことを判断すると（ステップＳ２０６で「ＹＥＳ」）、ＭＦＰ１０においてユーザＡが認証されなかったとして、ログインを許可せず（ステップＳ２０７）、当該ログイン処理を終了する。
【００４５】
一方、所定時間が経過するまでにＭＦＰ１０から機能情報等を受信すると（ステップＳ２０５で「ＹＥＳ」）、ＭＦＰ１０においてユーザＡが認証されたとして、各情報をＲＡＭ２１４に保存し（ステップＳ２０８）、表示レイアウト設定処理を実行する（ステップＳ２０９）。この意味で、制御部２０４は、ステップＳ２０５等の処理を実行する場合に、他の装置からハードキーに関する情報を取得する取得手段として機能し、当該他の装置とは、ネットワークに接続される複数の装置のうち、識別情報としてのユーザＩＤ等により識別されるユーザに対し使用を許可している装置に相当するものということができる。
【００４６】
図９は、表示レイアウト設定処理のサブルーチンの内容を示すフローチャートである。
同図に示すように、表示レイアウト設定処理は、ハードキー設定処理（ステップＳ２２１）とソフトキー設定処理（ステップＳ２２２）を順に実行して、ログイン処理のメインルーチンにリターンする処理である。以下、ハードキー設定処理とソフトキー設定処理の内容を説明する。
【００４７】
図１０は、ハードキー設定処理のサブルーチンの内容を示すフローチャートである。
同図に示すように、受信したレイアウト情報に応じた画面を液晶表示部２０１７に表示させる（ステップＳ２３１）。なお、ここでの表示は、仮の表示とされる。これは、ログインの許可が後述のステップＳ２１０で行われるようになっており、現時点ではユーザからの入力の受け付けを禁止しているからである。この表示としては、例えば通常時よりも輝度を落としたグレー表示とすることができる。
【００４８】
現時点では、ユーザＡのカスタマイズ画面１１１０と同じレイアウトの画面が表示されることになる。なお、例えばＭＦＰ２０の液晶表示部２０１７の大きさ（面積）が、ＭＦＰ１０の液晶表示部１０１７の半分程度しかなく、そのため表示すべき画面が液晶表示部２０１７の表示領域内に収まらないような場合には、カスタマイズ画面を縮小して収めるようにしたり、複数ページに跨るように分割表示したりする方法をとることができる。液晶表示部の大小関係が逆の場合には、例えばカスタマイズ画面を拡大して表示させるとしても良い。
【００４９】
次に、自装置（ＭＦＰ２０）とＭＦＰ１０のハードキーの機能を比較する（ステップＳ２３２）。具体的には、自装置について、ハードキー情報テーブル２２１に書き込まれているハードキー情報が読み出され、ＭＦＰ１０について、ＲＡＭ２１４に格納されているハードキー情報が読み出され、双方のハードキーの機能名が比較される。
比較結果から、ＭＦＰ１０のみに存在するハードキーがあるか否かを判断する（ステップＳ２３３）。ここでは、プログラムキーが当該ハードキーとして判断される。
【００５０】
ＭＦＰ１０のみに存在するハードキーがあることを判断すると（ステップＳ２３３で「ＹＥＳ」）、その機能を自装置で実行可能か否かを判断する（ステップＳ２３４）。この判断は、ＭＦＰ１０のみに存在するキーの機能名が、機能情報テーブル２２０に書き込まれている機能情報に含まれるか否かにより行われる。当該キーがプログラムキーの場合、プログラム機能が機能情報に含まれているので実行可能と判断される。
【００５１】
実行可能であることを判断すると（ステップＳ２３４で「ＹＥＳ」）、そのキーを現在の画面２１１１に追加表示させる処理を行う（ステップＳ２３５）。ここでは、図６（ｂ）に示すように、プログラムキー２１１２が追加表示されることになる。その際、キーが追加されたことをユーザＡが気付き易くするために、他のキーよりも外枠を太くしたり、表示色を変えたりするなどの表示制御を行うことが望ましい。また、図６（ｂ）に示すように、プログラムキー２１１２の表示位置を、画面２１１１上の、プログラムキー１０１５の配置位置に相当する位置（右上部）とすれば、ユーザＡにとってより見易くなる。プログラムキー１０１５の配置位置は、ＲＡＭ１１４に格納されている配置位置の情報が参照される。なお、その位置に別のソフトキーが表示されている場合には、プログラムキー２１１２は、画面２１１１上においてキーが表示されていない領域に表示される。
【００５２】
また、プログラムキーが画面２１１１上に既に表示されている場合には、プログラムキー２１１２を追加しない、または表示されているキーを消灯させてプログラムキー２１１２を追加表示させるとしても良い。
一方、実行不可能であることを判断すると（ステップＳ２３４で「ＮＯ」）、その旨を示すガイドメッセージ、例えば「プログラム機能は実行できません」などを吹き出し２２００内に表示させて（ステップＳ２３６）、ステップＳ２３７に移る。この意味で、制御部２０４は、ステップＳ２３６等を実行する場合に、画像処理機能を実行できない場合に、入力キーに代えて、その旨を表示させる表示制御手段として機能するものといえる。
【００５３】
また、ＭＦＰ１０のみに存在するハードキーがないことを判断すると（ステップＳ２３３で「ＮＯ」）、そのままステップＳ２３７に移る。
ステップＳ２３７では、自装置のみに存在するハードキーがあるか否かを判断する。ここでは、ユーザ補助キー２０１５が当該ハードキーとして判断されることになる。
自装置のみに存在するハードキーがあることを判断すると（ステップＳ２３７で「ＹＥＳ」）、その旨を示すガイドメッセージ、例えば「ユーザ補助キーが使用できます」などを吹き出し２２００内に表示させて（ステップＳ２３８）、ステップＳ２３９に移る。
【００５４】
また、自装置のみに存在するハードキーがないことを判断すると（ステップＳ２３７で「ＮＯ」）、そのままステップＳ２３９に移る。
ステップＳ２３９では、自装置とＭＦＰ１０の双方に同機能のハードキーがあるか否かを判断する。ここでは、設定確認キー２０１６が当該ハードキーとして判断されることになる。同機能のハードキーが存在することを判断すると（ステップＳ２３９で「ＹＥＳ」）、その配置位置が異なる場合には、その旨を示すガイドメッセージ、例えば「設定確認キーが移動しています」などを吹き出し２２００内に表示させて（ステップＳ２４０）、リターンする。ハードキーの配置位置が異なるか否かの判断は、自装置のハードキー情報の配置位置欄に書き込まれている位置情報と、ＲＡＭ２１４に格納されているＭＦＰ１０のハードキー情報の配置位置欄に書き込まれている位置情報を比較することにより行われる。同機能のハードキーが存在しないことを判断すると（ステップＳ２３９で「ＮＯ」）、そのままリターンする。
【００５５】
この意味で制御部２０４は、ステップＳ２３３、Ｓ２３７等の処理を実行する場合に、他の装置のハードキーと同機能のハードキーが自装置操作部に存在するか否かを判断する判断手段として機能し、ステップＳ２３５等の処理を実行する場合に、他の装置のハードキーに対応する画像処理機能を実行するための入力キーを表示させる表示制御手段として機能するものといえる。
【００５６】
図１１は、ソフトキー設定処理のサブルーチンの内容を示すフローチャートである。
同図に示すように、自装置（ＭＦＰ２０）の機能と、現に表示されている画面２１１１（ユーザＡによるカスタマイズ画面１１１０に相当）上に存在するソフトキーの機能を比較する（ステップＳ２５１）。
具体的には、自装置について、機能情報テーブル２２０に書き込まれている機能情報が読み出され、ＭＦＰ１０について、ＲＡＭ２１４に格納されているソフトキー情報が読み出され、双方の機能名が比較される。
【００５７】
比較結果から、自装置では実行できないソフトキーが存在するか否かを判断する（ステップＳ２５２）。ここでは、「両面」キーと「Scan To Mail」キーが該当するものとして判断されることになる。
実行できないソフトキーがあることを判断すると（ステップＳ２５２で「ＹＥＳ」）、当該ソフトキーを削除し（ステップＳ２５３）、ステップＳ２５４に移る。ここでは、「両面」と「Scan To Mail」キーが削除されることになる。
【００５８】
一方、実行できないソフトキーがないことを判断すると（ステップＳ２５２で「ＮＯ」）、そのままステップＳ２５４に移る。
ステップＳ２５４では、ＭＦＰ１０では実行できず自装置のみで実行可能な機能があるか否かを判断する。この判断は、自装置の機能情報テーブル２２０に書き込まれている機能情報と、ＲＡＭ２１４に格納されているＭＦＰ１０の機能情報を比較し、その比較結果から判断される。ここでは、カラー印刷機能とユーザ補助機能が該当することになる。
【００５９】
自装置のみで実行可能な機能があることを判断すると（ステップＳ２５４で「ＹＥＳ」）、その旨を示すガイドメッセージ、例えば図６（ｂ）に示すような「フルカラーコピーできます」などを吹き出し２２００内に表示させて（ステップＳ２５５）、ステップＳ２５６に移る。なお、ユーザ補助機能については、その実行のためのキーが予めハードキー２０１５として割り当てられており、ハードキー設定処理において、既に、その旨のガイドメッセージを表示させているので、新たに表示させるといったことは行われない。
【００６０】
なお、吹き出し２２００の表示は、ヘルプ機能によるものであり、ここでは、その表示から所定時間経過後またはその表示部分のユーザによるタッチにより消灯し、その代わりに図６（ｃ）に示すようにヘルプキー２２１０が表示される。ヘルプキー２２１０は、吹き出し２２００を再表示させるためのキーである。吹き出し２２００内のメッセージの情報は、記憶部２１５に保存され、再表示の際には、その保存された情報が読み出される。
【００６１】
なお、ヘルプ機能としては、ＭＦＰ１０とＭＦＰ２０の機能の比較結果、例えばハードキーについてＭＦＰ１０にはプログラムキーがあるが、自装置（ＭＦＰ２０）にはない旨を示すメッセージなどを表示させたり、キーの変更箇所を表示させたりするとしても良い。その比較結果等を記憶しておけば実現できる。
自装置のみで実行可能な機能がないことを判断すると（ステップＳ２５４で「ＮＯ」）、そのままステップＳ２５６に移る。
【００６２】
ステップＳ２５６では、ＲＡＭ２１４に保存されている、ユーザＡのユーザ情報とソフトキー情報を自装置のユーザ情報テーブル２１９とソフトキー情報テーブル２２２に新たなユーザのものとして書き込み（追加して）、リターンする。
図１２は、当該追加後のソフトキー情報テーブルの内容を示す図である。
同図に示すように、ユーザＩＤ欄には、ユーザＡの「１１１１」が追加され、そのソフトキー情報の機能名欄には、元々のカスタマイズ画面１１００のソフトキー情報（図４）に対し「両面」が削除され、「プログラム」と「ヘルプ」が追加された情報が書き込まれる。また、各キーに対する配置位置および関連番号欄の情報は、ＭＦＰ２０に対応する配置位置等に書き換えられる。これにより、新たなキーについて、その機能名、配置位置、関連番号が、機能情報とソフトキー情報の間で関連付けされることになる。
【００６３】
図８に戻って、ステップＳ２１０において当該ユーザＡに対しログインを許可して、キーの入力受け付けの禁止を解除（受付けを許可）した後、当該ログイン処理を終了する。この禁止解除により、画面のグレー表示が通常の表示形態に変えられる。ユーザＡは、ＭＦＰ２０において、図６（ｂ）等に示す画面２１１１（自身のカスタマイズ画面１１１０と同様のレイアウトの画面）を見ながらコピー等を実行するための入力操作を行うことができる。なお、上記では、ステップＳ２３１においてカスタマイズ画面そのものをグレー表示等させるとしたが、例えば表示させるのではなく、画面のデータをＲＡＭ２１４の格納領域に二次元展開して、そのデータ上でキー追加や削除等の処理を施し、処理後のデータを用いて図６（ｂ）等の画面２１１１を表示させる方法をとるとしても良い。
【００６４】
ステップＳ２０３において、管理しているユーザであることを判断すると、ステップＳ２１１においてパスワードが一致するか否かを判断する。管理しているユーザということは、ユーザ情報テーブル２１９にそのユーザのＩＤとパスワードが書き込まれていることになるから、書き込まれているパスワードと、入力されたパスワードとが一致するかを判断するものである。
【００６５】
ここで、パスワードが一致しないことを判断すると（ステップＳ２１１で「ＮＯ」）、ステップＳ２０７に移り、ログインを不許可とする。
一方、パスワードが一致したことを判断すると（ステップＳ２１１で「ＹＥＳ」）、ステップＳ２１０に移る。この場合、入力されたユーザＩＤに対応するソフトキー情報を読み出して、読み出したソフトキー情報により示されるレイアウトの画面を液晶表示部２０１７に表示させる。
【００６６】
なお、ユーザＡが、ＭＦＰ２０において画面２１１１のカスタマイズを行った結果、そのレイアウトが変更、例えば「Ａ３」キーが削除された場合や別のソフトキーが追加された場合に、その変更の内容を示す変更情報をＭＦＰ１０に送信し、ＭＦＰ１０が、その変更情報に応じて、自己のソフトキー情報を書き換える処理を行う構成をとることもできる。このようにすれば、ユーザＡが次にＭＦＰ１０を使用する際に変更後の画面を見ながら操作することができ、便利である。
【００６７】
（２）ＭＦＰ１０の処理
図１３は、ＭＦＰ１０がＭＦＰ２０からの認証要求を受け付けたときに実行する認証受付処理の内容を示すフローチャートである。
同図に示すように、ＭＦＰ１０は、他の装置（ＭＦＰ２０）からのユーザ認証要求を受け付けると（ステップＳ１０１）、認証の対象となっているユーザ（ユーザＡ）が自装置において管理しているユーザか否かを判断する（ステップＳ１０２）。この判断は、受信したユーザＩＤがユーザ情報テーブル１１９に登録されているか否かにより行われる。ここで、管理しているユーザである、すなわち登録済みであることを判断すると（ステップＳ１０２で「ＹＥＳ」）、受信したパスワードと、登録されているパスワードが一致しているか否かを判断する（ステップＳ１０３）。
【００６８】
一致していることを判断すると（ステップＳ１０３で「ＹＥＳ」）、認証されたとして、機能情報、ハードキー情報、ユーザＡのソフトキー情報およびユーザＡのユーザ情報（ユーザＩＤ「１１１１」とパスワード「１２３４」）を、機能情報テーブル１２０、ハードキー情報テーブル１２１、ソフトキー情報テーブル１２２、ユーザ情報テーブル１１９から読み出して、これらを要求元のＭＦＰ２０宛に送信して（ステップＳ１０４）、当該認証受付処理を終了する。
【００６９】
認証要求の対象となっているユーザが自装置で管理していないユーザであることを判断した場合（ステップＳ１０２で「ＮＯ」）や、パスワードが不一致であったことを判断した場合（ステップＳ１０３で「ＮＯ」）には、そのまま当該処理を終了する。なお、そのまま処理を終了するのではなく、その旨を示すエラー情報を返答するとしても良い。この場合、ＭＦＰ２０としては、当該エラー情報を受信すると、その旨のメッセージを表示させてユーザＡに知らせる構成をとるとしても良い。
【００７０】
以上説明したように、ＭＦＰ２０は、ＭＰＰ１０でカスタマイズされた画面と同様のレイアウトの画面を自装置の液晶表示部に表示させるので、ＭＦＰ２０を使用するユーザは、ＭＦＰ１０を使用するときと同様に、使い慣れた画面を見ながら操作することができ、使い勝手が良くなる。
また、ＭＦＰ２０は、自装置に設けられていないがＭＦＰ１０に設けられているハードキーがある場合、そのハードキーと同機能のソフトキーを自装置の液晶表示部に表示させるので、当該ユーザは、ＭＦＰ２０の操作部上に当該ハードキーが設けられていなくても（自装置にハードキー自体が１つも設けられていない場合も含み）、その代わりとしての当該ソフトキーを入力操作するだけで当該機能を実行させることができる。
【００７１】
従って、従来のように、ユーザが初めて使用するＭＦＰの前に立ったときに、そのＭＦＰの操作部上に、いつも使用しているＭＦＰのハードキーが存在せず、かつそれに対応するソフトキーも見当たらないために、当該ハードキーの機能をどのようにすれば実行できるのかが解らないといったことを防止でき、操作性を向上することができる。なお、上記の各キーや機能名等は一例であり、本発明がこれに限定されないことはいうまでもない。
【００７２】
本発明は、上記の画像処理装置に限られず、上記表示レイアウト設定処理におけるキーの表示方法であるとしてもよい。さらに、その方法をコンピュータが実行するプログラムであるとしてもよい。また、本発明に係るプログラムは、例えば磁気テープ、フレキシブルディスク等の磁気ディスク、ＤＶＤ−ＲＯＭ、ＤＶＤ−ＲＡＭ、ＣＤ−ＲＯＭ、ＣＤ−Ｒ、ＭＯ、ＰＤなどの光記録媒体、フラッシュメモリ系記録媒体等、コンピュータ読み取り可能な各種記録媒体に記録することが可能であり、当該記録媒体の形態で生産、譲渡等がなされる場合もあるし、プログラムの形態でインターネットを含む有線、無線の各種ネットワーク、放送、電気通信回線、衛星通信等を介して伝送、供給される場合もある。
【００７３】
また、本発明に係るプログラムは、上記に説明した処理をコンピュータに実行させるための全てのモジュールを含んでいる必要はなく、例えば通信プログラムやオペレーティングシステム（ＯＳ）に含まれるプログラムなど、別途情報処理装置にインストールすることができる各種汎用的なプログラムを利用して、本発明の各処理をコンピュータに実行させるようにしても良い。従って、上記した本発明の記録媒体に必ずしも上記全てのモジュールを記録している必要はないし、また必ずしも全てのモジュールを伝送する必要もない。さらに所定の処理を専用ハードウェアを利用して実行させるようにすることができる場合もある。
【００７４】
（変形例）
以上、本発明を実施の形態に基づいて説明してきたが、本発明は、上述の実施の形態に限定されないのは勿論であり、以下のような変形例が考えられる。
（１）上記実施の形態では、ユーザ（操作者）を特定する方法として、その操作者がログイン画面において自己のユーザＩＤを入力する方法をとったが、操作者を特定できればこの方法に限られることはない。例えば、操作者が自己のＩＤ等が書き込まれている識別カードを所有している場合に、当該カードからＩＤ等を読み取る方法などが考えられる。
【００７５】
（２）上記実施の形態では、各ＭＦＰが他のＭＦＰからのユーザ認証を受け付けて認証を行う構成としたが、例えばユーザ認証を行うための別のサーバをネットワークに接続しておき、各ＭＦＰが当該サーバに対し認証要求を行う構成をとるとしても良い。
（３）上記実施の形態では、ログイン処理においてユーザ認証できた場合には表示レイアウト設定処理を実行しないとしたが、この場合でも他のＭＦＰから機能情報等を取得して表示レイアウト設定処理を実行する構成としても良い。ＭＦＰは、他のＭＦＰに対し機能情報等の送信要求を行い、他のＭＦＰは、その要求の応答として機能情報等を送信するとすれば実現できる。
【００７６】
また、ＭＦＰがユーザの識別を行わず（ユーザ認証をせずに）、ユーザにより指定された他のＭＦＰからその機能情報等を取得し、表示レイアウト設定処理を行う構成をとるとしても良い。例えば、他のＭＦＰがカスタマイズを行えない装置であっても、ＭＦＰは、他のＭＦＰの操作パネルと同様のレイアウトの画面を表示することができる。従って、ユーザは、自身が良く使用するＭＦＰを指定すれば、別のＭＦＰにおいて、当該良く使用するＭＦＰと同様の画面を見ながら入力等の操作を行うことができるようになる。例えば、ステップＳ２０１〜Ｓ２０４の処理を行わず、その代わりに受付画面等から他のＭＦＰの指定をＩＰアドレス等により受け付け（指定を受け付ける受付手段に相当）、指定されたＭＦＰに対し機能情報等の送信要求を行い、ステップＳ２０５において当該機能情報等を受信する処理（ハードキー情報を取得する取得手段に相当）を実行すれば実現できる。
【００７７】
（４）上記実施の形態では、ＭＦＰ２０は、ＭＦＰ１０からネットワークを介して機能情報等の必要な情報を取得するとしたが、当該情報を取得できれば良く、この方法に限られない。例えば、当該情報が記録された記録媒体を挿入可能なスロットを設けておき、当該スロットに当該記録媒体が挿入されると当該記録媒体から当該情報を読み出すことにより取得する方法をとるとしても良い。
【００７８】
（５）上記実施の形態では、ＭＦＰ２０は、ＭＦＰ１０に配置されているハードキーと同機能のハードキーが自装置（ＭＦＰ２０）に配置されていないと判断した場合に、当該ハードキーに代わるソフトキーを画面に表示させるとしたが、例えばＭＦＰ１０に配置されている全てのハードキーをソフトキーとして画面上に表示させるとしても良い。この場合、上記判断処理を省略することができ、処理の簡素化を図ることができる。
【００７９】
（６）上記実施の形態では、本発明の画像処理装置をＭＦＰに適用した場合の例を説明したが、操作部に表示される画面上の入力キー（ソフトキー）の操作により、当該キーに対応する画像処理機能を実行する画像処理装置であれば、ＭＦＰに限られることはない。例えば、プリンタ等の画像形成装置、ＦＡＸ、スキャナ等に適用できる。また、上記実施の形態及び上記変形例をそれぞれ組み合わせるとしても良い。
【産業上の利用可能性】
【００８０】
本発明は、操作部を備える画像処理装置に広く適用することができる。
【図面の簡単な説明】
【００８１】
【図１】画像処理システム１の全体構成を示す図である。
【図２】画像処理システム１に含まれるＭＦＰ１０の構成を示す図である。
【図３】ＭＦＰ１０の操作パネル１０１の構成を示す図である。
【図４】ＭＦＰ１０の制御部１０４内の記憶部１１５に設けられている機能情報テーブル１２０、ハードキー情報テーブル１２１、ソフトキー情報テーブル１２２の内容例を示す図である。
【図５】画像処理システム１に含まれるＭＦＰ２０の構成を示す図である。
【図６】ＭＦＰ２０の操作パネル２０１の構成を示す図である。
【図７】ＭＦＰ２０の制御部２０４内の記憶部２１５に設けられている機能情報テーブル２２０、ハードキー情報テーブル２２１、ソフトキー情報テーブル２２２の内容例を示す図である。
【図８】ＭＦＰ２０が実行するログイン処理の内容を示すフローチャートである。
【図９】ログイン処理に含まれる表示レイアウト設定処理のサブルーチンの内容を示すフローチャートである。
【図１０】表示レイアウト設定処理に含まれるハードキー設定処理のサブルーチンの内容を示すフローチャートである。
【図１１】表示レイアウト設定処理に含まれるソフトキー設定処理のサブルーチンの内容を示すフローチャートである。
【図１２】ソフトキー情報テーブル２２２の別の内容例を示す図である。
【図１３】ＭＦＰ１０がＭＦＰ２０からの認証要求を受け付けたときに実行する認証受付処理の内容を示すフローチャートである。
【符号の説明】
【００８２】
２      ＬＡＮ
１０、２０      ＭＦＰ
１０１，２０１      操作パネル
１０４、２０４      制御部
１０１５      プログラムキー（ハードキー）
１０１７、２０１７      液晶表示部
１１１０、２１１０      画面
２１１２      プログラムキー（画面上の入力キー）
【図１】
2007150749.tif 000003
【図２】
2007150749.tif 000004
【図３】
2007150749.tif 000005
【図４】
2007150749.tif 000006
【図５】
2007150749.tif 000007
【図６】
2007150749.tif 000008
【図７】
2007150749.tif 000009
【図８】
2007150749.tif 000010
【図９】
2007150749.tif 000011
【図１０】
2007150749.tif 000012
【図１１】
2007150749.tif 000013
【図１２】
2007150749.tif 000014
【図１３】
2007150749.tif 000015